(57)【要約】【課題】段ボールの特性を活かし、簡易に建築することが可能な仮設住宅として利用されるリサイクル性優れた建築物を提供することを課題とする。【解決手段】建築物１は、段ボール製の床部と、床部を囲うようにして基礎部から垂設された段ボール製の壁部３と、壁部３と連結し、ドーム状に支持された屋根部と、屋根部の屋根パネル面を被覆するように張設された屋根シート７とを主に具備する。床部、壁部、及び屋根部は、それぞれ複数の段ボール製のパネル４ａ等を組合わせ、互いの端部を連結することによって形成されている。さらに、建築物１には内部の居住空間に入退室するための開口部、配線または換気のための孔１７，１８、及び窓口部１９等が設けられている。【選択図】図１
2007308955.tif 000002
【特許請求の範囲】
【請求項１】
多角形状の基礎部に合わせて敷設された段ボール製の床部と、
各々のパネル内面を前記床部の中心に向け、前記基礎部の各辺から垂設された長方形状の複数枚の段ボール製の壁パネルを有して構成され、互いに隣接する前記壁パネルの壁側縁同士を連結し、多角筒状に形成された壁部と、
前記壁パネルの上端縁と連結される底端縁を有し、先端を略鉛直方向から前記床部側に向けて曲折し、屋根パネル面を傾斜させた略二等辺三角形状の複数枚の段ボール製の屋根パネルを有して構成され、互いに隣接する前記屋根パネルの等辺縁同士を連結し、多面ドーム状に形成された屋根部と
を具備することを特徴とする段ボールを利用した建築物。
【請求項２】
前記基礎部及び前記床部は、
正八角形状を呈して形成され、
前記壁部は、
八面の前記パネル内面を有する正八角形筒状に形成され、
前記屋根部は、
八面の前記屋根パネル面を有する八面ドーム状に形成されていることを特徴とする請求項１に記載の段ボールを利用した建築物。
【請求項３】
多面ドーム状の前記屋根部に合わせて形成された防水性素材のシート部、前記シート部のシート辺縁と一端がそれぞれ接続される複数のロープ、及び前記基礎部の周囲に所定の間隔で固定され、前記ロープの他端を締結するための複数のロープ締結部を有し、前記屋根パネル面全体を前記シート部で被覆した状態で張設する屋根シートをさらに具備することを特徴とする請求項１または請求項２に記載の段ボールを利用した建築物。
【請求項４】
前記屋根パネルは、
略二等辺三角形状の先端の一部を切欠いた先端截頭部をさらに有して構成され、
前記屋根部の頂点近傍は、
複数の前記屋根パネルの前記先端截頭部が互いに集積して形成され、前記床部、前記壁部、及び前記屋根部によって形成される居住空間と外部とを連通する頂点孔が設けられていることを特徴とする請求項１乃至請求項３のいずれか一つに記載の段ボールを利用した建築物。
【請求項５】
前記壁部の下端周囲に巻装される防水シートをさらに具備することを特徴とする請求項１乃至請求項４のいずれか一つに記載の段ボールを利用した建築物。
【請求項６】
前記壁パネルの少なくとも一つは、
前記居住空間に入退室するために開口された開口部をさらに有し、
前記床部は、
前記開口部と対向する一辺を切欠いて、前記基礎部を露出させるための玄関部をさらに有し、
前記開口部を有する前記壁パネルのパネル外面の上部に取付けられ、前記開口部の開放及び閉塞を行うための扉部をさらに具備することを特徴とする請求項４または請求項５に記載の段ボールを利用した建築物。
【発明の詳細な説明】
【技術分野】
【０００１】
本発明は、段ボールを利用した建築物に関するものであり、特に台風や地震等の自然災害が発生した地域において、避難した住民が一時的に入居し、避難生活を送ることが可能な仮設住宅として利用される段ボールを利用した建築物に関するものである。
【背景技術】
【０００２】
従来から、台風、地震、火山の噴火、及び豪雪等の種々の自然現象によって、家屋の倒壊や生命に対する危険性が強くなった地域に対し、避難命令や避難勧告が当該地域の国または自治体によって発せられることがある。このような場合、避難住民は、小中学校の体育館や公民館等の、当該地域では比較的安全で、かつ多人数を一度に収容できる公共施設に避難し、一時的な集団生活（避難生活）を送ることがある。
【０００３】
係る集団生活は、当該地域の乳幼児から高齢者に至る幅広い年齢層の人々を対象とするものであり、体育館等の床面に蒲団や毛布を直接敷いて、個人（または各世帯）のスペースを確保している。そのため、各世帯毎等にこれらのスペースをパーテーション等で区切ることができず、常に周囲の他人の視線に晒される場合がほとんどであった。そのため、着替えや洗濯などの日常的な行動にも他人の視線を意識しなければならず、個人のプライバシーの確保とは程遠い実情があり、精神的なストレスが蓄積しやすい環境になる場合もあった。また、個々の生活リズムがバラバラであるため、起床時間や就寝時間が異なり、互いの生活を干渉しあい、十分な睡眠時間を確保することができないこともあった。そのため、避難生活自体に不安を感じたり、プライバシーが確保できないといった精神的なストレスを感じたり、睡眠不足などの肉体的な疲労が蓄積し、些細なことで避難住民同士がトラブルを起こすようなこともあった。そのため、これらの集団生活は、自然災害の発生直後のごく短期の期間に限る必要があり、避難生活が長期に亘る場合には個々のプライバシーの確保が重要な問題となることがあった。
【０００４】
そこで、所謂「仮設住宅」の建築が、各自治体等の行政の主導の下に行われることがある。この仮設住宅は、基本的に各世帯毎に提供されるため、周囲の他人の視線に晒されることがなく、上述した精神的なストレスを大幅に低減することができる。これにより、避難前の生活リズムを守ることができ、住民同士のトラブルの発生を抑制し、ストレスによる健康への影響を軽減し、長期に亘る避難生活を安定して送ることができるようになる。
【０００５】
ここで、建築される仮設住宅は、予め工場等で資材の加工及び仮組立て等の工程を完了し、実際に設置される建築現場では、基礎への設置工事やガス、電気、上下水道等のライフラインの確保及び設置を主として行うプレハブ工法による住宅（プレハブ住宅）が一般的に利用されている。このプレハブ住宅は、従来の建築物に比べ、施工に係る期間を著しく短くすることができ、短期間で多くの仮設住宅を建築することができる優れたメリットを有している。
【０００６】
ところで、従来の建築物に係る建築資材は、木造建築等の木質材料、或いはコンクリート住宅等に用いられるコンクリート資材及び鉄筋資材（金属材料）などが主として建築物に必要な十分な強度を確保するために用いられていた。一方、新たな建築物に係る建築資材として、上記材料と異なり、比較的軽量な段ボール（紙質材料）に屋外耐久性や多方向から加えられる荷重に対する強度等の各種特性を向上させる加工処理を行い、これらの段ボールを用いて建築する段ボール建築物に関する技術の開発も進められている。
【０００７】
ここで、段ボールは軽量性と優れた断熱性（低熱伝導性）を備える素材であり、これらの利点を生かした建築物が一部で既に建築されている。例えば、上記特性を利用し、複数枚の段ボールを重合わせて積層し、互いを貼合わせることによって、建築物の外装材及び内装材として使用する段ボール建築物（特許文献１参照）、段ボールのフルート方向を互いにクロスになるように積層し、さらに接合を容易にする接合フレームで周りを囲み、そして、樹脂等をコーティングすることによって、パネル状の段ボールの耐久性及び強度を著しく向上させた積層段ボールパネルを用いた積層段ボールパネル構造建築物（特許文献２参照）、或いは曲面状に段ボールを積層し、さらに表面をポリエステル樹脂等でコーティングした積層曲面段ボールパネルを組合わせ施工された曲面段ボールを用いた建築物（特許文献３参照）などが知られている。
【０００８】
【特許文献１】特開平１１−６２１００号公報
【特許文献２】特開２００１−１９３１５９号公報
【特許文献３】特開２０００−３５２１４７号公報
【発明の開示】
【発明が解決しようとする課題】
【０００９】
しかしながら、上述した自治体等によって建築される仮設住宅は、下記に掲げる問題を生じることがあった。すなわち、これらの仮設住宅（プレハブ住宅）を建築しようとする場合、各自治体にはこれらの自然災害に備えた仮設住宅用のストックがないことが多く、予め契約した建築業者等に依頼し、必要数の建築資材を確保する必要があるなど、これらに要する手続が非常に煩雑だった。そのため、自然災害が発生してから施工の開始までに、最低でも１ヶ月程度は必要となることがあり、係る期間は避難住民に対し、体育館等での集団生活を課することが実情であった。さらに、上述したように、プレハブ住宅の多くは、木質材料或いは金属材料を主たる建築資材として利用するために、これらの建築資材の建築現場までの搬送するための荷積、及び搬送後の建築資材の積降しの際にクレーン等の重機が必要となることがあった。また、該重機の稼働には、専門的な技能を有するオペレータが必要となり、重機及びオペレータの手配など、さらには建築現場の選定など、施工までに解決しようとする問題が山積することがあった。
【００１０】
また、自然災害の発生によって、応急的に集積された建築資材を利用して係るプレハブ住宅が建築されるため、各々の仕様にバラツキが生じ、各建築資材毎に施工方法が異なったりするなど、実際の建築現場の作業員でも混乱を生じることがあった。また、広さや居住性などの点で相違が生じ、入居した避難住民の間で不公平感を覚えるなどの問題が生じることもあった。
【００１１】
さらに、建築された仮設住宅は、避難命令等が解除されると、避難住民はこれらの仮設住宅を離れ、自宅に戻ったり、或いは新たな生活の場所を求め、他所に引っ越すことが一般的である。すなわち、これらの仮設住宅は、災害直後から避難住民が日常生活に戻るまでの一時的な期間を過ごすためのものであり、避難命令等の解除後は不要となり、必然的に撤去する必要があった。この場合、取り壊して撤去するためにも多くのコストが必要となり、さらに取り壊された後に残る建築廃材は、リサイクル性に乏しいものが多く、埋め立てなどの廃棄コストの多く嵩むことが多かった。
【００１２】
そこで、自治体等によって災害発生前にストックすることが比較的容易であり、また搬送や取付、さらには取壊しの際にも重機やオペレータを必要とすることがなく、例えば、災害地域に集まった災害ボランティア等の一般の人々などの手によって（人力によって）簡易に建築することが可能であり、かつ使用後には再利用することが可能なリサイクル性の高い建築資材を用いた建築物を期待する声が多かった。
【００１３】
一方、上述した紙質材料の段ボールを利用して建築物を構成するものは、リサイクル性の点では優れているものの、いずれも強度等の特性を向上させるために、複数枚のパネル状の段ボールを積層し、貼合わせたものを用いることがほとんどであり、重量が従来の木質材料等と比してそれほど著しく減少するものではなく、人力等では建築することが困難なケースが大部分であった。
【００１４】
そこで、本発明は、上記実情に鑑み、軽量性及び断熱性に優れる段ボールの特性を活かし、かつ災害ボランティア等の人力によって簡易に建築することが可能な避難用の仮設住宅としての応用が期待でき、さらにリサイクル性に優れた段ボールを利用した建築物を提供することを課題とするものである。
【課題を解決するための手段】
【００１５】
上記の課題を解決するため、本発明の段ボールを利用した建築物は、「多角形状の基礎部に合わせて敷設された段ボール製の床部と、各々のパネル内面を前記床部の中心に向け、前記基礎部の各辺から垂設された長方形状の複数枚の段ボール製の壁パネルを有して構成され、互いに隣接する前記壁パネルの壁側縁同士を連結し、多角筒状に形成された壁部と、前記壁パネルの上端縁と連結される底端縁を有し、先端を略鉛直方向から前記床部側に向けて曲折し、屋根パネル面を傾斜させた略二等辺三角形状の複数枚の段ボール製の屋根パネルを有して構成され、互いに隣接する前記屋根パネルの等辺縁同士を連結し、多面ドーム状に形成された屋根部と」を具備するものから主に構成されている。
【００１６】
ここで、本発明の建築物を構成する床部、壁部、及び屋根部の素材として利用される段ボールは、従来から包装或いは梱包用に用いられている段ボールを用いることが可能である。段ボールは、保温性に富み、十分な強度をそれだけで有するものである。しかしながら、段ボールは、水を吸収しやすく、その結果、段ボール自体の強度が著しく低下することがある。そこで、本発明の建築物には、一般の段ボールにポリスチレン樹脂を含浸加工することにより、防水性及び耐水性の向上を図ったタイプのものを使用することが好適と思われる。これにより、屋外に設置して風雨に晒される場合であっても建築物として要求される性能を十分に発揮することができる。また、床部等の段ボールは、予め各パネルの形状にカットされ、建築物を実際に建築する建築現場まで搬送された後、当該現場で組付けるものであっても、或いは屋根部或いは壁部を構成する複数のパネルを段ボールの製造工程で予め連結した状態で製造し、建築現場ではこれらを所定の位置で折畳み、組立てるものであっても構わない。しかしながら、搬送の容易さ及び各パネルの連結による補強対策等を勘案すると、個々のパネル毎に分離した状態で製造され、その後に組立てるようにするものが好適と思われる。なお、個々に分離された一枚当たりのパネルの重量は、軽量であり、一人または二人の作業者で容易に持ち運びすることが可能であり、クレーン等の重機を必要とすることがない。また、ポリスチレン樹脂等による樹脂加工を行ったとしても、使用後のリサイクル性に対する影響を受けることはほとんどない。
【００１７】
また、本発明の建築物が建築される基礎部とは、予め整地された区画にコンクリートを流し込むことによって形成されたものである。そして、この基礎部に壁パネルを垂設した状態で固定するためには、既存のコンクリート釘を打込むことにより、壁パネルの下端から延設された基礎固定片を該コンクリート釘で貫通させることにより、壁パネルが基礎部に固定される。また、床部は、周知のパネル状（板状）の段ボールを所定の形状に敷設するものであっても、或いは基礎部から床面を所定高さ離間させることが可能な直方体或いは立方体のような方形構造（筺体構造）としたものであってもよい。しかしながら、方形構造とすることにより、基礎部の硬さが床面から直に伝達されることがなく、段ボールによるクッション性を享受することができ、さらに基礎部と床面との間に空気の層が挟設されるため、断熱作用が高められる。そのため、基礎部（地面）からの冷たい空気の進入を防ぎ、特に冬期などで居住空間の室内温度が低下することを防止することが可能となる。
【００１８】
さらに、それぞれ一枚ごとに所定形状にカットされた壁パネル及び屋根パネルは、プラスチック製のビスやリブ、或いは両面テープまたはガムテープ等の周知の固定手段または連結手段を用い、或いはこれらを適宜組合わせて用いることにより、強固に連結することが可能である。なお、段ボール製の各パネル間の接合に両面テープやガムテープ等の手段を利用すると、前述した連結を強固にすることが可能であるとともに、各パネル間の隙間を防ぐことができ、雨水の浸入、或いは居住空間への光（太陽光）の差し込み、さらには隙間風の進入等を防止することが可能となる。
【００１９】
したがって、本発明の段ボールを利用した建築物によれば、基礎部及び床部が多角形状に形成され、かつ壁部が床部等の形状に合わせた多角筒状に形成されている。ここで、多角形（多角筒形）とは、三角形、四角形、五角形・・等の種々の形状を例示することが可能であるが、建築物に必要な横方向からの荷重或いは上方からの荷重に十分に抗することが可能である点を考慮すると、少なくとも五角形以上であることが望ましい。さらに、係る多角形（多角筒形）の角数は特に限定されないが、あまりに角数が多いと円に近似することになるため、例えば、十角形以下のものが壁パネル等の加工性及び建築時における作業容易性の点から好適と思われる。また、これらの多角形は、各辺が互いに同じ長さを有する正多角形である必要はないものの、荷重に対する抗力を分散し、安定した形状にすることを可能とするために、正四角形や正六角形、さらには正八角形のような形状のものが特に好適と思われる。これにより、上方からの荷重、すなわち、壁部の上方に載せられる屋根部の重量を支えるに足る十分な抗力を有することとなる。また、壁部は、基礎部に強固に連結されているため、壁部に対して横方向から加えられる荷重、人力等による押出操作或いは風等に対しても抗しうる力（強度）を有することができる。さらに、自重に従って下方に落下しようとする屋根パネルは、互いに隣接する屋根パネルと連結し、かつ多面ドーム状に形成されていることにより、一つの屋根パネルが下方に落下しようとしても、その下端が壁パネルの一部と連結されており、さらに両サイドの屋根パネルが間に挟まれた屋根パネルを互いに支えるようになり、上記の多面ドーム状の形態を保持することが可能となる。その結果、本発明の段ボールを利用した建築物は、筒状の壁部及びドーム状の屋根部の構成、及びその下に設けられた床部によって区切られた空間が形成され、該空間の形状をそのままの状態で保持することが可能となる。すなわち、この空間の中央付近には、一般の建築物のように屋根を支えるための柱に係る構成を必要とすることがなく、多角筒状の壁部と屋根パネル面を傾斜させたドーム状の屋根パネル（または屋根部）によって、係る仮設住宅に利用可能な建築物が設けられる。そのため、広い空間を確保することができる。
【００２０】
さらに、本発明の段ボールを利用した建築物は、上記構成に加え、「前記基礎部及び前記床部は、正八角形状を呈して形成され、前記壁部は、八面の前記パネル内面を有する正八角形筒状に形成され、前記屋根部は、八面の前記屋根パネル面を有する八面ドーム状に形成されている」ものであっても構わない。
【００２１】
したがって、本発明の段ボールを利用した建築物によれば、本発明の建築物を上方から観察すると、正八角形状の構成を有していることとなる。ここで、正八角形は、八つの辺の長さが共に同一に形成されているものであり、互いに隣合う壁パネル同士の角度が１３５°に設定されている。これにより、上方からの荷重を、八つの辺及び八つの角によって支持することができ、安定した構造とすることができる。さらに、正八角形筒状の壁部に支持される屋根部も八面ドーム状に形成されているため、互いに隣接する屋根パネル同士を支持する力も分散し、屋根パネルの中央付近が自重等によって内側に凹むようなことがない。なお、係る事態をさらに回避するために、屋根パネルの中央付近で基礎部または壁部に対する傾斜角度（曲折角度）を変化させた構成とすることも可能である。すなわち、壁部の上端縁との傾斜角度に対し、屋根パネルの中央付近で緩やかな傾斜角度に変化させることにより、屋根部の頂点部の高さを若干低く設定することができる。これにより、建築の際の作業を行いやすくなる。
【００２２】
さらに、本発明の段ボールを利用した建築物は、上記構成に加え、「多面ドーム状の前記屋根部に合わせて形成された防水性素材のシート部、前記シート部のシート辺縁と一端がそれぞれ接続される複数のロープ、及び前記基礎部の周囲に所定の間隔で固定され、前記ロープの他端を締結するための複数のロープ締結部を有し、前記屋根パネル面全体を前記シート部で被覆した状態で張設する屋根シート」を具備するものであっても構わない。
【００２３】
したがって、本発明の段ボールを利用した建築物によれば、屋根部の上面の屋根パネル面を被覆可能な屋根シートに係る構成をさらに有している。ここで、シート部は、周知のテント地のビニールシートのようなの防水性の素材を利用することができる。また、ロープ締結部は設置面の周囲に打設され、先端にリング状のフックが形成された杭のようなものを例示することができる。そして、例えば、八角形状の各頂点から所定距離だけ離間した位置に係るロープ締結部を設けると、最終的に建築物の周囲に八カ所のロープ締結部が均等に形成されることになる。そして、係るロープ締結部にロープを締結し、シート部を引っ張る張力をそれぞれ調整することにより、屋根シートは屋根部の上面を被覆することができる。これにより、雨水が段ボール製の屋根部に直接当たることがなく、耐久性をさらに向上させることができる。
【００２４】
さらに、本発明の段ボールを利用した建築物は、上記構成に加え、「前記屋根パネルは、略二等辺三角形状の先端の一部を切欠いた先端截頭部をさらに有して構成され、前記屋根部の頂点近傍は、複数の前記屋根パネルの前記先端截頭部が互いに集積して形成され、前記床部、前記壁部、及び前記屋根部によって形成される居住空間と外部とを連通する頂点孔が設けられている」ものであっても構わない。
【００２５】
したがって、本発明の段ボールを利用した建築物によれば、屋根部のドーム頂点近傍（屋根部の頂点付近）には、屋根パネルの先端截頭部に起因する頂点開口部が設けられている。すなわち、互いに隣合う屋根パネル同士を連結し、多面ドーム状の屋根部を形成する際、係る頂点近傍は、八枚の屋根パネルの先端が一箇所に集中する箇所であり、段ボール加工の寸法精度及び屋根パネルの取付時の精度により、屋根パネルの先端が必ずしも一点に合致することは期待できない。そこで、本発明のように、先端を截頭した形状を採用することにより、所謂「あそび」の部分が創生され、ドーム状の屋根部を構築する際の不具合を解消することが可能となる。これによって、構築された頂点孔は、温かい空気が滞留するちょうど上方に位置に当たるため、内部の居住空間と外部（外気）とを連通する通気孔としての機能を備えることになる。
【００２６】
さらに、本発明の段ボールを利用した建築物は、上記構成に加え、「前記壁部の下端周囲に巻装される防水シートを」具備するものであっても構わない。
【００２７】
したがって、本発明の段ボールを利用した建築物によれば、壁部の下端周囲に防水シートを巻装することにより、地面に浸透した水分等が床部及び壁部の間を介して居住空間に浸入することを避けることができる。これにより、居住空間の湿度が高くなり、結露が発生するなどの居住環境の低下を防ぐことができるようになる。ここで、防水シートは、前述した屋根シートのシート部に用いられるものと同様の防水性素材からなるビニールシートなどを利用することが可能である。
【００２８】
さらに、本発明の段ボールを利用した建築物は、上記構成に加え、「前記壁パネルの少なくとも一つは、前記居住空間に入退室するために開口された開口部をさらに有し、前記床部は、前記開口部と対向する一辺を切欠いて、前記基礎部を露出させるための玄関部をさらに有し、前記開口部を有する前記壁パネルのパネル外面の上部に取付けられ、前記開口部の開放及び閉塞を行うための扉部を」具備するものであっても構わない。
【００２９】
したがって、本発明の段ボールを利用した建築物によれば、前述したように壁パネルの一部に開口部を設けることは、居住空間に対する入退出を図る上で当然のことであり、係る開口部を開閉自在とする扉部を設けることにより、プライバシーを確保し、かつ外気等の進入も併せて防ぐことが可能となる。さらに、床部の一部を切欠いて脱靴のための玄関部を設けることにより、日本風の生活様式になじんだ避難住民が靴を脱いでくつろげる居住空間を提供することができる。さらに、係る玄関部が壁部の内側に設けられていることにより、脱いだ靴が雨風に晒されることがなく、或いは犬等の小動物が靴を咥えて別の場所に運んでしまうといった不測の自体に遭う可能性も低くなる。
【発明の効果】
【００３０】
本発明の効果として、段ボールを利用して建築物を建築することが可能であり、特に屋根部を多角筒状の壁部によって支えることができ、居住空間の中心を柱等の支持部材が貫くようなことがない。そのため、広い居住空間を確保することができる。また、用いる各材料が軽量の段ボールによって構成されているため、特別な重機等を必要とすることなく搬送及び組立て作業を行うことが可能となり、建築に関する知識のほとんどない一般人（災害ボランティア等）の手によっても簡易に建築することができる。これにより、特に災害時の避難用仮設住宅としての利用が期待される。加えて、ほとんどすべての構成が段ボールで形成されているため、使用後は再生紙の原料として再利用することが可能であり、特にリサイクル性に優れたものとすることができる。
【発明を実施するための最良の形態】
【００３１】
以下、本発明の一実施形態である段ボールを利用した建築物１（以下、単に「建築物１」と称す）について、図１乃至図７に基づいて説明する。ここで、図１は本実施形態の建築物１の外観構成を示す斜視図であり、図２は建築物１の構成を示す正面図であり、図３は建築物１の構成を示す平面図であり、図４は建築物１の構成を示す一部分解斜視図であり、図５は床部２及び壁部３の構成を示す（ａ）Ｘ−Ｘ断面図及び（ｂ）要部拡大図であり、図６は三種類の壁パネル４ａ，４ｂ，４ｃの構成をそれぞれ示す説明図であり、図７は屋根パネル５の構成を示す説明図である。なお、本実施形態の建築物１は、コンクリートによって正八角形状に整地した基礎部６の上に建築するものについて例示している。また、図２乃至図４等の一部図面については、図示を簡略化するために、屋根シート７及び防水シート８（詳細については後述）に係る構成について図示を省略している。
【００３２】
本実施形態の建築物１は、図１乃至図７に示すように、基礎部６の上に敷設された段ボール製の床部２と、床部２を囲うようにして基礎部６から垂設された段ボール製の壁部３と、壁部３の上端縁９と連結し、該壁部３によって八面ドーム状に支持された屋根部１０と、屋根部１０の屋根パネル面１１を被覆するように張設された屋根シート７とを具備し、床部２、壁部３、及び屋根部１０によって囲まれた空間が居住空間１４として構成されている。換言すれば、本実施形態の建築物１は、「かまくら」のような形態を有して構成されている。すなわち、比較的天井が低めに設置され、かつ建築物１の重心が下方に設定されているため、特に横方向からの強風等の大きな力に対しても安定した状態を保つことができる。
【００３３】
さらに詳細に説明すると、床部２はその構成として、図４及び図５（ａ）に主として示すように、正方形状を呈し、床部２の中心付近に集積して配される４個の正方形床パネル１２ａと、長方形状を呈し、集積した４個の正方形床パネル１２ａの周囲にそれぞれ４個または２個ずつ配される計１４個の長方形床パネル１２ｂと、直角二等辺三角形状を呈し、前述した長方形床パネル１２ｂの長手方向Ａの長さの２倍に相当する直角対角辺１３ａ、及び長方形床パネル１２ｂの短手方向Ｂの長さの２倍に相当し、互いに直交し、前述の直角対角辺１３ａを挟込む二つの挟辺１３ｂを有する三角形床パネル１２ｃとを有し、これらを組合わせ略正八角形状に構成されている。すなわち、図５に示すように、長方形床パネル１２ｂの長さの２倍（または、直角対角辺１３ａ）が正八角形の床部２の各辺の長さに相当することになる。なお、床部２の一部は、長方形床パネル１２ｂの２個分が除かれ、係る部位は基礎部６が露出した状態に形成されている。これにより、居住空間１４に靴を脱いで上がる際の玄関部１５が基礎部６と床部２との段差によって形成されたことになる。
【００３４】
なお、これらの床部２を構成する各床パネル１２ａ等の接合は、特に限定されるものではないが、市販のガムテープ等の固定手段（図示しない）を各パネル１２ａ等の境界に互いに貼合わせるように仕様するものであっても構わない。また、居住性をより向上させるために、事後に床部２の形状に合わせてカットしたカーペット等の敷布（例えば、ニードルパンチによって製造された敷布等）を適用し、居住性（快適性）の高い空間に送出することができる。
【００３５】
一方、壁部３は、パネル内面３ａを床部２の中心に向け、かつ正八角形状の基礎部６の基礎辺部６ａに沿うようにして、基礎部６から垂設された略長方形状の八枚の段ボール製の壁パネル４ａ，４ｂ，４ｃを互いに連結し、筒状構造を呈するように形成されている。ここで、図６等に示すように、本実施形態の建築物１の壁部３には、３種類の壁パネル４ａ，４ｂ，４ｃが用いられている。具体的に説明すると、居住空間１４に入退出するための出入口となる大きな開口部１６が形成された（ａ）出入口用の壁パネル４ａ（＝１枚）と、居住空間１４の中に電気配線や各種配管を通すための配線／配管孔１７及び換気のための換気孔１８が右斜め上方位置に設けられた（ｂ）配線／配管／換気用の壁パネル４ｂ（＝４枚）、及び居住空間１４から外部を視認するために開口され、プラスチック製の窓部２１が開閉自在に取付けられる窓口部１９を備える（ｃ）窓用の壁パネル４ｃ（＝３枚）とから構成されている。なお、出入口用の壁パネル４ａのパネル外面３ｂには、開口部１６を開閉塞するためのシート状の扉部２０が取付けられている。この扉部２０は中央にファスナー２０ａが設けられ、係るファスナー２０ａの操作部（図示しない）を上下に摺動させることにより、開状態または閉状態にすることができる。
【００３６】
さらに、各パネル４ａ等について詳細に説明すると、各パネル４ａ等の下端縁２２からは、コンクリート釘２３によって基礎部６と固定される基礎固定片２４が延設され、基礎部６への取付時には、該基礎固定片２４が内側方向（床部２の中心）に向かって折曲げられる（図４または図６参照）。また、各パネル４ａの壁側縁２５からはそれぞれ壁側片２６が設けられ、床部２の中心側に向かって曲折される。これにより、互いに隣接する壁パネル４ａ等の壁側片２６が曲折され、床部２の形状に合わせて配されると、当該壁側片２６同士が面当接することになる（図５（ｂ）参照）。そして、係る当接状態を維持するように、プラスチック製のリブ４３を積層した二枚の壁側片２６に挿込んで固定することにより、壁パネル４ａ等同士が連結される。さらに、壁パネル４ａ等の上端縁９からは屋根パネル５との連結に用いられるための屋根用連結片３１が延設されている。
【００３７】
ここで、壁部３は、壁パネル４ａを正面に置いた場合、時計回りに壁パネル４ｂ→壁パネル４ｃ→壁パネル４ｂ→壁パネル４ｃ→壁パネル４ｂ→壁パネル４ｃ→壁パネル４ｂのように各パネルを配置して構成されている（図５等参照）。なお、隣接する壁パネル４ａ等同士が連結する壁側縁２５は、上記の連結状態をさらに強固なものとするために、互いの壁側縁２５の外側、すなわち、パネル外面３ｂに隙間を埋め、外部から照射する光（主に、太陽光）が居住空間１４に入射しないように両面テープ２８及びその上からさらにガムテープ２９を貼着させている（図５（ｂ）参照）。これにより、八角形の筒状構造を呈する壁部３が構築される。なお、この両面テープ２８及びガムテープ２９を用いた連結強度の補強手段は、後述する屋根パネル５と壁パネル４ａ等との連結、或いは屋根パネル５同士の連結の際にも利用することができる。
【００３８】
ここで、壁部３は全体が八角形状であるため、各壁パネル４ａ，４ｂ，４ｃの間の角度θは、θ＝１３５°である。そのため、壁部３の上方から強い荷重（主に、後述する屋根部１０の自重）が加えられたとしても、二枚の壁パネル４ａ等が上記角度θを保持して立設されているため、屋根部１０の自重に相当する荷重を各角位置Ｐで分散して支えることができ、その結果、壁部３は上方からの荷重に抗する十分な強度を備えていることになる。また、各壁パネル４ａ等がコンクリートの基礎部６に直接固定されているため、壁部３に対して横方向の荷重が加えられても、壁部３が容易に移動することがなく床部２及び基礎部６に対して安定した形状を保つことができる。
【００３９】
一方、屋根部１０は、略二等辺三角形状を呈する八枚の屋根パネル５を組合わせて構築されている（図７参照）。具体的に説明すると、各屋根パネル５は、三角形の底辺に相当する底端縁から延設され、前述した壁パネル４ａ等に設けられた屋根用連結片３１と連結するための壁用連結片３２を有し、壁パネル４ａ等同士を連結する場合と同様に、屋根用連結片３１及び壁用連結片３２を互いに内側に向けて曲折した状態で重合わせ、さらに前述のリブ４３を貫通させることによって連結することができる。なお、屋根パネル５は、先端（壁用連結片３２が取付けられた反対側に相当）が截頭された先端截頭部３３を有している。そして、この先端截頭部３３から下端に向かって拡開するようにした二つの等辺縁３４からそれぞれ横方向に延設された等辺端片３５を有している。なお、屋根パネル５は略中央付近で傾斜角度に変化を付けるため（図２等参照）の曲折部３６が設けられており、上記の等辺端片３５は上下二つに分割されている。
【００４０】
そして、互いに隣合う等辺端片３５同士を上述の手法と同様に内側に曲折し、当接した状態でリブ４３によって連結することにより、八枚の屋根パネル５によってドーム状に膨らんだ屋根部１０が構築される。特に、屋根部１０（屋根パネル５）の下端は壁部３に連結されており、さらに両サイドの屋根パネル５が挟まれた屋根パネル５を互いに支持するため、屋根部１０が下方に落ちることがない。さらに、屋根パネル５に先頭截頭部３３が設けられているため、頂点近傍に集まった八つの屋根パネル５の先端が密とならない。すなわち、係る先頭截頭部３３によって、屋根パネル５同士の連結状態を調整することができる。
【００４１】
加えて、屋根部１０の頂点近傍は、この先端截頭部３３が集合したことによって、略正八角形状に開口した頂点孔３７が形成され（図４参照）、居住空間１４と外部とを連通した状態にしている。そのため、居住空間１４内の温かな空気は、上方に滞留することなく、該頂点孔３７から外部に導出することになる。その結果、居住空間１４内の換気が良好に行われ、常に新鮮な空気を換気孔１８から取り入れ、使用済みの空気を頂点孔３７から排出することができるようになっている。
【００４２】
本実施形態の建築物１のその他の構成としては、基礎部６の周囲の地面Ｇに八角形状の壁部３の頂角点Ｐから放射方向に延長された位置に埋設された８本の金属製のロープ締結部３８、屋根部１０の屋根パネル面１１全体を被覆するシート部３９、及び該シート部３９のシート辺縁４０の一端（上記頂角点Ｐと略一致）及びロープ締結部３８のリング状のリング部４１との間を結び、シート部３９を張設するロープ４２を有する屋根シート７を備えている。ここで、シート部３９は、防水性のテント地のビニールシートによって構成されている。なお、本実施形態の建築物１の中心から互いに隣り合う頂角点Ｐの間の角度は、壁部３が正八角形と仮定すると４５°となっている。
【００４３】
さらに、上記シート部３と同様の素材で形成された長手形状の防水シート８が壁部３の下端近傍に両面テープ等のテープ類（図示しない）を利用してスカート状に巻装され、壁パネル４ａ等及び基礎部６の隙間から居住空間１４に雨水や湿気が浸入しないような処理が施されている。
【００４４】
上記に示したように、本実施形態の建築物１は、段ボールを主たる建築資材として用い、災害における避難時の仮設住宅として好適に利用することができる。特に、扉部２０や窓部２１等の一般的な構成を備え、かつ屋根部１０を支えるのに、一本の柱も設けられていないため、居住空間１４を広くとることができる。なお、本実施形態の建築物１は、サイズについては特に限定していないが、例えば、各壁パネル４ａ等を幅１８０ｃｍ、高さ１８０ｃｍに設定し、さらに壁パネル４ａ等の上端縁９から屋根部１０の頂点までの垂直高さを９０ｃｍに設定したものを建築することができる。これにより最大幅が約４３０ｃｍ及び最大高さが約２５０ｃｍの居住空間１４を構築することが可能であり、大人２人及び子供２人の４家族１世帯が避難生活を送るのに十分なスペースを確保することができる。
【００４５】
さらに、リブ４３及び各片（屋根用連結片３１及び壁用連結片３２）等の組合わせによって、各パネル４ａ等を連結し、さらにその連結箇所の隙間を両面テープ２８及びガムテープ２９を積重して貼合わせることにより、連結強度の補強と、湿気等の浸入、さらには太陽光の遮光等を行うことができる。これにより、既存のプレハブ住宅に近い強度を保持することができる。特に、接合には、両面テープ２８やガムテープ２９等の日常生活品の固定手段を用いることが可能であり、災害の発生した地域であっても比較的容易に入手しやすい。また、仮に補修が必要な箇所が発生した場合であっても、係る固定手段によって容易に修繕を行うことが可能となる。
【００４６】
加えて、全体が紙質材料の段ボールで構成されているため、使用後の撤去も比較的容易に行える。すなわち、使用後には、上記のガムテープ２９等の固定手段の貼着を手またはカッター等によって容易に解除することができ、しかも再生紙等への転換が可能となっている。そのため、使用後の撤去に係るコスト及び従来のような建築資材を埋立てするなどの処理コストを抑えることができる。
【００４７】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４８】
すなわち、本実施形態の主たる用途として、台風や地震等の自然災害の発生時に使用される避難用の仮設住宅として適用するものを示したがもちろんこれに限定されるものではなく、従来のテントの代替として使用することも可能である。例えば、キャンプやアウトドアの生活を比較的長期（数週間程度）にわたって実施する場合のベースとして用いたり、災害時に物資を保存する臨時の倉庫としての使用を想定することも可能である。
【００４９】
また、本実施形態の建築物１において、多角筒状の壁部３として、正八角形の筒状体を示したが、正八角形に限定されるものではない。すなわち、三角形状から八角形以上の角数を有するものであっても構わない。しかしながら、建築物１の建築工程の容易さ、加工の容易さ、及び壁部の上方及び側方からの荷重に抗する強度を勘案すると、正六角形或いは正八角形の安定した形状のものが特に好適と思われる。また、さらに、さらに正多角形の形状のものである必要もない。しかしながら、災害時に短期間で施工を完了しようとするならば、予め規格化されたサイズのものが好ましく、また人間の感覚的にもなじみやすい上記形状のものがやはり有効であると思われる。
【００５０】
さらに、各パネル４ａ等にリブなどの連結・固定手段を利用するものを示したが、これに限定されるものではなく、周知の技術を用いて連結することが可能である。さらに、各パネル４を一枚ずつ個別に製造し、建築現場で連結し、組立てるものを示したがこれに限定されるものではなく、可能であれば、壁パネル４ａ等を一列に並べた長手形状の一枚の壁パネルを構築し、これを筒状に形成するものであっても構わない。或いは、屋根パネル５及び壁パネル４ａ等を一枚のパネルとして形成するものであってももちろん構わない。しかしながら、部品点数を少なくすることは、各パネルを製造する製造工程を複雑化する傾向が強く、また一枚のパネルが大型化することは搬送に不便を生じたり、保管時に多くのスペースが必要となるなどの問題が生じる可能性がある。そのため、上記の問題等及び建築後の建築物の強度等を勘案し、適宜設計する必要がある。
【図面の簡単な説明】
【００５１】
【図１】本実施形態の建築物の外観構成を示す斜視図である。
【図２】建築物の構成を示す正面図である。
【図３】建築物の構成を示す平面図である。
【図４】建築物の構成を示す一部分解斜視図である。
【図５】壁部及び床部の構成を示す（ａ）Ｘ−Ｘ断面図及び（ｂ）要部拡大図である。
【図６】三種類の壁パネルの構成をそれぞれ示す説明図である。
【図７】屋根パネルの構成を示す説明図である。
【符号の説明】
【００５２】
１  建築物（段ボールを利用した建築物）
２  床部
３  壁部
３ａ  パネル内面
３ｂ  パネル外面
４ｂ，４ｂ，４ｃ  壁パネル
５  屋根パネル
６  基礎部
６ａ  基礎辺部
７  屋根シート
８  防水シート
９  上端縁
１０  屋根部
１１  屋根パネル面
１４  居住空間
１５  玄関部
１６  開口部
２０  扉部
２１  窓部
２２  下端縁
２５  壁側縁
２６  壁側片
３１  屋根用連結片
３２  壁用連結片
３３  先端截頭部
３４  等辺縁
３５  等辺端片
３７  頂点孔
３８  ロープ締結部
３９  シート部
４０  シート辺縁
４２  ロープ
【図１】
2007308955.tif 000003
【図２】
2007308955.tif 000004
【図３】
2007308955.tif 000005
【図４】
2007308955.tif 000006
【図５】
2007308955.tif 000007
【図６】
2007308955.tif 000008
【図７】
2007308955.tif 000009